(57)【特許請求の範囲】
【請求項１】
斜面に複数のアンカーを点在して打設後、頭部連結材が掛止される被掛止体部と該被掛止体部を支持する本体部とから構成され、本体部の下面には、被掛止体部の下面とほぼ同じ高さを有し斜面を支圧する第１下面と、被掛止体部の下面と上面との間の高さであって被掛止体部の下面よりも頭部連結材の直径以上の高さの第２下面とを有する支圧板を各アンカーの頭部にそれぞれ固定し、複数の頭部連結材をそれぞれ各支圧板の本体部の上面側および第２下面側の双方を少なくとも１回ずつ通して被掛止体部に対称で、かつ、被掛止体部の下面よりも高い位置で回すことにより、その被掛止体部の外周面と各頭部連結材との接触部分が各頭部連結材それぞれの折り返し点となって、各頭部連結材が被掛止体部の中心に対し対称な位置で交差するように掛止することを特徴とする斜面安定化工法。
【請求項２】
請求項１記載の斜面安定化工法に使用する支圧板であって、頭部連結材が掛止される被掛止体部と該被掛止体部を支持する本体部とから構成され、本体部の下面には、被掛止体部の下面とほぼ同じ高さを有し斜面を支圧する第１下面と、被掛止体部の下面と上面との間の高さであって被掛止体部の下面よりも頭部連結材の直径以上の高さを有する第２下面とを有することを特徴とする支圧板。
【発明の詳細な説明】
【技術分野】
【０００１】
本発明は、自然斜面などの斜面を安定化させる斜面安定化工法およびその斜面安定化工法で使用する支圧板に関する。
【背景技術】
【０００２】
斜面安定化工法の従来技術として、例えば、特許文献１，２に記載されているように、斜面に対し複数のアンカーを、一辺が斜面傾斜方向をなす正三角形を１つの網目形状とする正三角形網の各交点にそれぞれ位置するように配列とするとともに、１つの正三角形網目を形成する３つのアンカー間を線状または帯状の１本の頭部連結材により連結するようにした斜面安定化工法が提案されている。そして、特許文献１，２に記載の斜面安定化工法では、それぞれの図３に示すように、斜面上に現れている支圧板の筒体に頭部連結材を掛止して連結する方法が開示されている。また、特許文献１では、その図１０に示すように、支圧板の下面に取付けた地中に入り込む突出部の溝（窪み）に頭部連結材を掛止して連結することにより、斜面に平行な緊張力のみでなく、斜面に垂直な下向きの緊張力を発生させ、この下向きの緊張力により、地盤の押え込み効果を増加させ、斜面安定効果を向上させる方法が開示されている。
【先行技術文献】
【特許文献】
【０００３】
【特許文献１】特許第３７０２３３５号公報
【特許文献２】特許第３６８５４７６号公報
【発明の概要】
【発明が解決しようとする課題】
【０００４】
しかし、上述の特許文献１，２に記載された従来の斜面安定化工法では、次のような共通の問題がある。
（１）効率性および施工性の悪さと、斜面押え込み効果の低減。
斜面に配設されたアンカーと支圧板を３組ずつ頭部連結材によって正三角形を描くように１つのユニットとして緊張力を付与し、連結金具により連結してくため、手間がかかり、効率性および施工性が悪い。また、斜面傾斜に平行して頭部連結材を取り付けるため、頭部連結材を緊張させても、斜面（地山）自身を押え込む効果がほとんど期待できない。
（２）引き留め効果の低減。
頭部連結材による支圧板の押え込み効果をほとんど期待できないため、支圧板と斜面（地山）との接触面における摩擦抵抗も同じように期待できない。そのため、頭部連結材を斜面に平行に締め付けた際に、支圧板の移動を伴うことがあり、全体的に頭部連結材に緩みが生じて、引き留め効果が低減する。
【０００５】
また、特許文献１に記載された支圧板の下面に取付けた地中に入り込む突出部の溝（窪み）に頭部連結材を掛止して連結する斜面安定化工法では、さらに、次のような問題もある。
（３）斜面押え込み効果の低減
支圧板の下面から地中に突出した突出部の溝（窪み）に頭部連結材を掛止しているため、頭部連結材にかかる緊張力の反力が突出部の溝に発生し、支圧板の突出部に地中から浮き上がる力が発生する一方、アンカーを軸として反対側では支圧板端部が斜面に食い込むことになる。従って、自然斜面などは、一般的に柔らかい表土であるため、斜面（地山）に対する支圧板の押え込む力がバランスの崩れた状態になり易く、斜面を押え込む効果が低減される。
（４）施工性の問題
施工手順として、アンカーに支圧板を取り付け、ナットでアンカー頭部と支圧板を締結した後、頭部連結材を取り付けるが、支圧板下面の突出部の溝（窪み）が地上から見えず、手探りで頭部連結材を取り付けることになるため、施工が困難である
（５）設置上の問題
支圧板の下面に突出部を設けているため、あらかじめ地面を掘削する必要があると共に、掘り過ぎると、本技術の効果である地山との接触面積の増大が見込めない一方、掘りが足りないと支圧板が浮き上がり、支圧板による斜面押え込み効果が期待できない。また、掘削行為によって支圧板下の地山を乱し、地山を緩めるため支圧板直下の地山を押え込む効果が低減する。
【０００６】
そこで、本発明は、このような問題点に着目してなされたもので、従来技術よりも斜面（地山）を効率良く押えて施工性が向上する共に、頭部連結材の緊張力がバランス良く支圧板に作用して斜面を効果的に押え込むことができる斜面安定化工法およびその斜面安定化工法で使用する支圧板を提供することを目的とする。
【課題を解決するための手段】
【０００７】
上記目的を達成するため、請求項１に記載の発明に係る斜面安定化工法は、斜面に複数のアンカーを点在して打設後、頭部連結材が掛止される被掛止体部と該被掛止体部を支持する本体部とから構成され、本体部の下面には、被掛止体部の下面とほぼ同じ高さを有し斜面を支圧する第１下面と、被掛止体部の下面と上面との間の高さであって被掛止体部の下面よりも頭部連結材の直径以上の高さの第２下面とを有する支圧板を各アンカーの頭部にそれぞれ固定し、複数の頭部連結材をそれぞれ各支圧板の本体部の上面側および第２下面側の双方を少なくとも１回ずつ通して被掛止体部に対称で、かつ、被掛止体部の下面よりも高い位置で回すことにより、その被掛止体部の外周面と各頭部連結材との接触部分が各頭部連結材それぞれの折り返し点となって、各頭部連結材が被掛止体部の中心に対し対称な位置で交差するように掛止することを特徴とする。この斜面安定化工法によれば、複数の頭部連結材を各支圧板の本体部の上面側および第２下面側の双方を少なくとも１回ずつ通して各支圧板の被掛止体部の中心に対し対称となるように連結していくので、従来技術よりも斜面（地山）を効率良く押えて施工性が向上する共に、頭部連結材の緊張力がバランス良く支圧板に作用して斜面を効果的に押え込むことができる。
また、請求項２に記載の発明に係る支圧板は、請求項１記載の斜面安定化工法に使用する支圧板であって、頭部連結材が掛止される被掛止体部と該被掛止体部を支持する本体部とから構成され、本体部の下面には、被掛止体部の下面とほぼ同じ高さを有し斜面を支圧する第１下面と、被掛止体部の下面と上面との間の高さであって被掛止体部の下面よりも頭部連結材の直径以上の高さを有する第２下面とを有することを特徴とする。この支圧板によれば、前述の斜面安定化工法により頭部連結部材を掛止することにより、従来技術よりも斜面（地山）を効率良く押えて施工性が向上する共に、頭部連結材の緊張力がバランス良く支圧板に作用して斜面を効果的に押え込むことができる。
【発明の効果】
【０００８】
本発明に係る斜面安定化工法およびその斜面安定化工法で使用する支圧板によれば、斜面に複数のアンカーを点在して打設後、各アンカーの頭部に支圧板を固定し、本体部の上面側および第２下面側の双方を少なくとも１回ずつ通して被掛止体部の外周面に対称で、かつ、被掛止体部の下面よりも高い位置に回し、その被掛止体部の外周面と各頭部連結材との接触部分が各頭部連結材それぞれの折り返し点となって、各頭部連結材が被掛止体部の中心に対し対称な位置で交差するように掛止する。その結果、従来技術よりも斜面（地山）を効率良く押えて施工性が向上する共に、頭部連結材の緊張力がバランス良く支圧板に作用して斜面を効果的に押え込むことができる。
【図面の簡単な説明】
【０００９】
【図１】本発明に係る支圧板の平面図、正面図である。
【図２】本発明に係る支圧板の底面図、Ａ−Ａ線断面図、Ｂ−Ｂ線断面図である。
【図３】支圧板の配設状態および頭部連結材の連結方法の一例を示す全体図である。
【図４】支圧板に対する頭部連結材の掛止状態の一例を示す拡大図である。
【図５】支圧板の配設状態および頭部連結材の連結方法の他の例を示す全体図である。
【図６】支圧板の配設状態および頭部連結材の連結方法のさらに他の例を示す全体図である。
【発明を実施するための形態】
【００１０】
次に、本発明に係る斜面安定化工法およびその斜面安定化工法で使用する支圧板の実施形態について、図面を参照して説明する。
【００１１】
図１および図２は、本発明に係る斜面安定化工法で使用する支圧板１を示す図であって、図１（ａ）は平面図、図１（ｂ）は正面図、図２（ａ）は底面図、図２（ｂ）はＡ−Ａ線断面図、図２（ｃ）はＢ−Ｂ線断面図である。図１および図２に示すように、この支圧板１は、外形が平面視矩形状であって“田”の字状に形成された本体部１１と、当該本体部１１の中心に設けられ、当該本体部１１の一辺の長さＬより短尺の直径Ｒを有する円柱状の被掛止体部１２とから構成されている。
【００１２】
本体部１１は、前述の通り“田”の字状に形成されているため、その外側の４辺に相当する外枠部１１ａと、外枠部１１ａと被掛止体部１２とを連結する中渡し部１１ｂとから構成され、被掛止体部１２の周囲に被掛止体部１２と外枠部１１ａと中渡し部１１ｂとによって囲まれた空隙部１３が４つ設けられている。そして、本体部１１を構成する外枠部１１ａおよび中渡し部１１ｂと被掛止体部１２の下面により斜面を支圧する。
【００１３】
外枠部１１ａと中渡し部１１ｂの下面は、それぞれ、被掛止体部１２の下面１２ｂとほぼ同じ高さを有し斜面を支圧する第１下面１１ａ１，１１ｂ１と、被掛止体部１２の下面１２ｂと被掛止体部１２の上面１２ａとの間の高さであって被掛止体部１２の下面１２ｂよりも頭部連結材の直径以上の高さを有する第２下面１１ａ２，１１ｂ２とを有する。そのため、本実施形態では、後述するように外枠部１１ａと中渡し部１１ｂの上面側および第２下面１１ａ２，１１ｂ２側の双方を少なくとも１回ずつ通して被掛止体部１２に対称で、かつ、被掛止体部１２の下面１２ｂよりも高い位置にそれぞれ２本の頭部連結材を対称的に回すと、その被掛止体部１２の外周面と各頭部連結材との接触部分が各頭部連結材それぞれの折り返し点となって、各頭部連結材が被掛止体部１２の中心に対し対称な位置で交差するようにバランス良く掛止できる。なお、本実施形態では、図１（ｂ）や図２（ｂ），（ｃ）等に示すように被掛止体部１２の上面１２ａと、本体部１１を構成する外枠部１１ａと中渡し部１１ｂの上面とを面一にしているが、面一でなくても良い。
【００１４】
被掛止体部１２は、その外周面に頭部連結材が掛止されるもので、前述の通り“田”の字状に形成された本体部１１の中央に４方向からの中渡し部１１ｂによって支持された形で設けられており、その中心には、斜面に点在して打設された複数のアンカーが挿入されるアンカー挿入孔１２１が形成されている。なお、被掛止体部１２は、その外形が対称であれば円柱形状でなく正４角柱や正８角柱等でも良く、また中空でもかまわない。
【００１５】
なお、アンカーは、図示して説明しないが、ロックボルト等の地山の補強土工法で一般的に使用される公知のもので、適宜、土中に配列して、斜面（地山）が変形しようとしたときに発生する摩擦に起因する引張力等により斜面の緩みを防止するものである。アンカーの頭部にナットを螺合して支圧板１を固定する。また、頭部連結材は、ワイヤーロープに代表されるような柔軟性のある線状もしくは帯状のもので、斜面（地山）に固定された各支圧板１に順次掛止して連結すると共に、緩みがきたさないように緊張して、斜面を押えるものである。
【００１６】
次に、支圧板１を使用した本発明に係る斜面安定化工法について説明する。
【００１７】
図３は、複数の支圧板１を斜面４に取り付けた後、頭部連結材３により各支圧板１を連結した状態を示す全体図である。
【００１８】
まず、斜面（地山）４に穿孔を形成した後、その穿孔にアンカーを挿入すると共にグラウト材等を注入して、アンカーを斜面４に固定する。ここで、穿孔は、例えば、図３に示すようにアンカーや支圧板１がいわゆる千鳥配列（配置）になるように設ける。ただし、本発明では、アンカーや支圧板１の配置は、千鳥配列に限定されることはなく、地山の補強効果が期待できる任意の配列であればよい。
【００１９】
次に、斜面４から突出する各アンカーの頭部にそれぞれ支圧板１を装着し、続いて各支圧板１の上からナットを装着して、支圧板１をアンカーの頭部に固定する。ここで、ナットは、アンカーが斜面４に対し鉛直に埋設されていない場合でも支圧板１を確実に固定できるように、先端部（下端面）が半球面形状に形成されたものを用いるのが好ましい。
【００２０】
以上のようにして斜面４に千鳥配列（配置）で埋設した各アンカーに支圧板１をそれぞれ固定した後、図３に示すように、各支圧板１に、２本の頭部連結材３をその支圧板１の中心、すなわち被掛止体部１２の中心に対し対称的に掛止して連結していく。なお、図３では、各支圧板１はその４辺が斜面４の鉛直方向に対しそれぞれ略４５度の角度をなすように設置している。
【００２１】
具体的には、図３および図４に示すように、２本の頭部連結材３をそれぞれ各支圧板１１の外枠部１１ａと中渡し部１１ｂの上面側および第２下面１１ａ２，１１ｂ２（図２参照。）側の双方を少なくとも１回ずつ通して被掛止体部１２に対称で、かつ、被掛止体部１２の下面１２ｂよりも高い位置にそれぞれ回し、その被掛止体部１２の外周面と各頭部連結材３との接触部分が各頭部連結材３それぞれの折り返し点となって、各頭部連結材３が被掛止体部１２の中心に対し対称な位置で交差するようにバランス良く掛止して連結していく。つまり、図４に示すように２本の頭部連結材３が、各支圧板１の被掛止体部１２の図上左側と右側とを交互に通って被掛止体部１２を左右両側から対称的に挟持して掛止しながら上から下、あるいはその逆の下から上にジグザグに連結していく。そのため、従来技術よりも効率良く頭部連結材３を各支圧板１に連結していくことが可能となるので、各支圧板１と頭部連結材３とにより斜面（地山）４を効率良く押え、施工性が向上する。また、頭部連結材３の緊張力がバランス良く各支圧板１に作用するので、斜面４を効果的に押え込むことができる。
【００２２】
次に、各支圧板１における頭部連結材３の通し方の一例を、次の第１〜第４の方法を説明する。
【００２３】
まず第１の方法は、例えば、図４に示すように、左側の頭部連結材３Ａの場合、左上側の外枠部１１ａではその上面側を通し、右上側の中渡し部１１ｂではその第２下面１１ｂ２（図２参照。）側を通し、右下側の中渡し部１１ｂでもその第２下面１１ｂ２（図２参照。）側を通し、左下側の外枠部１１ａではその上面側を通すという方法である。この場合、右側の頭部連結材３Ｂは、被掛止体部１２の中心に対する左側の頭部連結材３Ａとの対称性を考慮して、右上側の外枠部１１ａではその上面側を通し、左上側の中渡し部１１ｂではその第２下面１１ｂ２（図２参照。）側を通し、左下側の中渡し部１１ｂでもその第２下面１１ｂ２（図２参照。）側を通し、右下側の外枠部１１ａではその上面側を通す。勿論、頭部連結材３Ａ，３Ｂ共に以上の連結方法とは上下逆に通すこともできる。このように通すと、２本の頭部連結材３を各支圧板１の被掛止体部１２の中心に対し点対称で、しかも斜面４上においてその中心を通る垂直線または平行線に対しても線対称に通すことができ、バランス良く斜面４を押さえ付けることができる。また、頭部連結材３は本体部１１の４辺に相当する外枠部１１ａを通過する際、常にその上面側を通るので、外枠部１１ａによる斜面４への押さえ付け効果を高めることができる。なお、図３および後述する図５も、この方法により連結している。
【００２４】
第２の方法は、図示はしないが、左側の頭部連結材３Ａの場合、左上側の外枠部１１ａではその上面側を通し、右上側の中渡し部１１ｂではその第２下面１１ｂ２側を通し、右下側の中渡し部１１ｂではその上面側を通し、左下側の外枠部１１ａではその第２下面１１ａ２側を通すという方法である。この場合、右側の頭部連結材３Ｂは、被掛止体部１２の中心に対する左側の頭部連結材３Ａとの対称（点対称）性を考慮して、右上側の外枠部１１ａではその第２下面１１ａ２側を通し、左上側の中渡し部１１ｂではその上面側を通し、左下側の中渡し部１１ｂではその第２下面１１ｂ２側を通し、右下側の外枠部１１ａではその上面側を通す。また、右側の頭部連結材３Ｂは、被掛止体部１２の中心を通る垂直線または平行線に対する左側の頭部連結材３Ａとの対称（線対称）性を考慮して、右上側の外枠部１１ａではその上面側を通し、左上側の中渡し部１１ｂではその第２下面１１ｂ２側を通し、左下側の中渡し部１１ｂではその上面側を通し、右下側の外枠部１１ａではその第２下面１１ａ２側を通すこともできる。勿論、左側の頭部連結材３Ａと右側の頭部連結材３Ｂとを以上の連結方法とはそれぞれ上下逆に通しても良い。このように通すと、２本の頭部連結材３を各支圧板１において点対称および線対称に通すことができる。
【００２５】
また、第３の方法も、図示はしないが、左側の頭部連結材３Ａの場合、左上側の外枠部１１ａではその上面側を通し、右上側の中渡し部１１ｂでもその上面側を通し、右下側の中渡し部１１ｂではその第２下面１１ｂ２側を通し、左下側の外枠部１１ａでもその第２下面１１ａ２側を通すという方法である。この場合、右側の頭部連結材３Ｂは、被掛止体部１２の中心に対する左側の頭部連結材３Ａとの対称（点対称）性を考慮して、右上側の外枠部１１ａではその第２下面１１ａ２側を通し、左上側の中渡し部１１ｂでもその第２下面１１ｂ２側を通し、左下側の中渡し部１１ｂではその上面側を通し、右下側の外枠部１１ａでもその上面側を通す。勿論、被掛止体部１２の中心を通る垂直線または平行線に対する左側の頭部連結材３Ａとの対称（線対称）性を考慮してその上下逆に通しても良いし、左側の頭部連結材３Ａと右側の頭部連結材３Ｂとを以上の連結方法と上下逆に通すこともできる。このように通すと、２本の頭部連結材３を各支圧板１において点対称および線対称に通すことができる。
【００２６】
また、第４の方法も、図示はしないが、左側の頭部連結材３Ａの場合、左上側の外枠部１１ａではその第２下面１１ａ２側を通し、右上側の中渡し部１１ｂでもその第２下面１１ｂ２側を通し、右下側の中渡し部１１ｂでもその第２下面１１ｂ２側を通し、左下側の外枠部１１ａでは上面側を通すという方法である。この場合、右側の頭部連結材３Ｂは、被掛止体部１２の中心を通る垂直線または平行線に対する左側の頭部連結材３Ａとの対称（線対称）性を考慮して、右上側の外枠部１１ａではその第２下面１１ａ２側を通し、左上側の中渡し部１１ｂでもその第２下面１１ｂ２側を通し、左下側の中渡し部１１ｂでもその第２下面１１ｂ２側を通し、右下側の外枠部１１ａでは上面側を通すという方法である。このように通すと、２本の頭部連結材３を各支圧板１において線対称に通すことができる。ただし、左側の頭部連結材３Ａと右側の頭部連結材３Ｂとを以上の連結方法とは上下逆に通すと、頭部連結材３Ａ，３Ｂが被掛止体部１２の外周面の周囲を回らないので、その場合には、少なくとも２箇所の中渡し部１１ｂのうち一方はその第２下面１１ｂ２を通すようにする。
【００２７】
このように、各支圧板１に頭部連結材３を通す際は、上述の第１〜第４の方法などにより、２本の頭部連結材３をそれぞれ本体部１１の上面側および第２下面１１ａ２，１１ｂ２（図２参照。）側の双方を少なくとも１回ずつ通し、しかも２箇所の中渡し部１１ｂを通す場合は、少なくとも１回はその第２下面１１ｂ２を通して被掛止体部１２の外周面に対称で、かつ、被掛止体部１２の下面１２ｂよりも高い位置にそれぞれ回し、その被掛止体部１２の外周面と各頭部連結材３との接触部分が各頭部連結材３それぞれの折り返し点となって、各頭部連結材３が被掛止体部１２の中心に対し対称な位置、すなわち１８０度の相対する２箇所で交差させる。
【００２８】
すると、上述の第１〜第４の方法などにより２本の頭部連結材３Ａ，３Ｂを通して掛止した各支圧板１では、図４に示すように、各頭部連結材３Ａ，３Ｂに緊張力が作用すると、各頭部連結材３Ａ，３Ｂによって斜面４と平行方向で、図４であれば左右の反対方向である互いに逆方向が作用することになる。その結果、各頭部連結材３Ａ，３Ｂに作用する緊張力が同程度であれば、その各頭部連結材３Ａ，３Ｂにより各支圧板１に作用する外力も、それぞれ反対方向となり同程度となって打ち消し合い、各支圧板１を左右のバランス良く斜面４を押え付けることが可能となる。
【００２９】
また、この斜面安定化工法では、２本の頭部連結材３Ａ，３Ｂがそれぞれ本体部１１の上面側および第２下面１１ａ２，１１ｂ２（図２参照。）側の双方を少なくとも１回ずつ通って被掛止体部１２の外周面に掛止するので、各頭部連結材３Ａ，３Ｂに緊張力が作用すると、各頭部連結材３Ａ，３Ｂは各支圧板１の上面を直接的に斜面４側の方向へ押し付けることになり、斜面４を押え込む力が増大し、斜面４の押え込み効果が向上する。なお、前述した作用によって、各支圧板１が斜面（地山）４を押さえ込んだ際に、その斜面（地山）４が柔らかいと支圧板４が沈み込む可能性もある。その場合には、各支圧板１を締め付けているナットを再度締め付ければ良い。
【００３０】
その結果、自然斜面などは、一般的に柔らかい表土であり、斜面４（地山）に対する支圧板１の押え込む力のバランスが崩れた状態になり易いが、この斜面安定化工法によれば、各支圧板１に作用する各頭部連結材３からの緊張力によって、斜面４をバランス良く均等に押え込むことが可能となる。また、この斜面安定化工法では、各頭部連結材３によって斜面４の傾斜方向と垂直方向の緊張を同時に行うことが可能となり、支圧板１が斜面４を効果的に押え込むことができると共に、引き留め効果も増大させることができる。また、従来技術のように斜面に配設されたアンカーと支圧板を３組ずつ頭部連結材によって正三角形を描くように１つのユニットとして緊張力を付与するのではなく、斜面４に配列された複数の支圧板１に頭部連結材３をジグザグ状に掛止しながら連結していくので、手間もかからず、効率性および施工性が向上する。
【００３１】
また、この斜面安定化工法では、特許文献１の従来技術のように支圧板の下面から地中に突出した突出部の溝（窪み）に頭部連結材を掛止するのではなく、各支圧板１の被掛止体部１２の下面１２ｂよりも高い位置で頭部連結材３を掛止するため、頭部連結材３にかかる緊張力によって支圧板１が地中から浮き上がることを防止できると共に、手探りで地中に頭部連結材３を引き入れたり、地面を掘削する必要もなくなるので、この点で、施工が容易になると共に、掘削行為によって支圧板下の地山を乱したり、地山を緩めることもなくなる。
【００３２】
なお、上記実施形態の説明では、各支圧板１を千鳥配列（配置）で、かつ、その４辺が斜面４の鉛直方向に対しそれぞれ略４５度の角度をなすように配設して、頭部連結材３を上から下、またはその逆にジグザグ状に連結していくものとして説明したが、本発明では、これに限らず、例えば、図５に示すように斜面４に各支圧板１を格子（碁盤の目）状で、かつ、その４辺が斜面４の鉛直方向または水平方向にないように配列（配置）して、これらの各支圧板１に対しそれぞれ２本の頭部連結材３Ａ，３Ｂを上から下、またはその逆に階段状に連結することもできる。また、図６に示すように、図３と同様に斜面４に対し各支圧板１を千鳥配列（配置）で配設しつつも、図３の場合とは異なり各支圧板１をその４辺が斜面４の鉛直方向または水平方向を向くように配設しても勿論よいし、図５に示すように各支圧板１を格子（碁盤の目）状に配列（配置）しつつも、各支圧板１の４辺が斜面４の鉛直方向に対しそれぞれ略４５度の角度をなすように配設することも勿論可能である。
【００３３】
また、本実施形態の説明では、各支圧板１は本体部１１の外形が平面視矩形状のものにより説明したが、本発明ではこれに限らず、本体部１１の外形が平面視円形状でも、平面視矩形状以外の多角形状でも良い。また、本実施形態では、本体部１１を外枠部１１ａと中渡し部１１ｂとにより構成して、被掛止体部１２の周囲に被掛止体部１２と外枠部１１ａと中渡し部１１ｂとによって囲まれた空隙部１３を設けて説明したが、本発明では、本体部１１を板状に構成して、その板状部分に空隙部１３となる穴を形成したものでも勿論よい。
【符号の説明】
【００３４】
１…支圧板、１１…本体部、１１ａ…外枠部、１１ａ１…第１下面、１１ａ２…第２下面、１１ｂ…中渡し部、１１ｂ１…第１下面、１１ｂ２…第２下面、１２…被掛止体部、１２ａ…上面、１２ｂ…下面、３，３Ａ，３Ｂ…頭部連結材、４…斜面。
【図１】
0005865130.tif 000002
【図２】
0005865130.tif 000003
【図３】
0005865130.tif 000004
【図４】
0005865130.tif 000005
【図５】
0005865130.tif 000006
【図６】
0005865130.tif 000007